(57)【要約】【解決課題】スロットマシンにおける模様替えを容易且つ迅速に行えるようにすること。【解決手段】本体枠（１）の左右の側壁板（５３，５３）の内側面の高さの途中に水平状にレール材（５４，５４）を付設し、またドラムユニット（５）には両側部に滑合部材（５２，５２）を備えて前記レール材に出し入れ自由に滑合支持する。その一方、前記ドラムユニット（５）の前面には回転ドラムを覗く透視窓（３１）を開設してなる表示パネル（３０）を立ち上がり状に取付け、交換時には前記レール材を案内に本体枠（１）からドラムユニット（５）を引き出し、新たなものと交換する。また前記表示パネルを交換してスロットマシンの外観を変更する。【選択図】　　　　　図４
2004105313.tif 000002
【特許請求の範囲】
【請求項１】
本体枠と本体枠の上部空間部に収容される回転ドラムを連装してなるドラムユニットと、本体枠の下部空間部に収容されるホッパー装置と、該本体枠の一側縁にヒンジ装置を介して開閉自由に蝶着され本体枠の前面開口部を閉ざす前扉を有してなるスロットマシンにおいて、
前記本体枠には左右の側壁板の内面側の高さの途中に水平状にレール材を付設して前記ドラムユニットに備える滑合部材を滑合し、該ドラムユニットを前後出入自由に支持する一方、該ドラムユニットには前面に前記連装する回転ドラムの前面を被う如く透視窓を開設してなる表示パネルを立ち上がり状に備えてなることを特徴としたスロットマシン。
【請求項２】
請求項１の記載において、表示パネルはパネル主体とその背面に表示ランプのランプケースを一体に有してなることを特徴としたスロットマシン。
【請求項３】
請求項１又は２の記載において、表示パネルはドラムユニットに着脱自由に取付け、交換自由であることを特徴としたスロットマシン。
【請求項４】
請求項１乃至３の記載において、ドラムユニットには取付用フレームを設け、該取付用フレームを介して表示パネルを取付けることを特徴としたスロットマシン。
【請求項５】
請求項４の記載において、ドラムユニットの前縁部には前端縁に係止用の受部を、また取付用フレームの前端部には弾性係止片を備えて表示パネルの下縁部を前記受部に受け止め、また表示パネルの上縁部を前記弾性係止片に掛け止めて起立した状態に取付けることを特徴としたスロットマシン。
【請求項６】
請求項１乃至５の記載において、表示パネルの前面周縁部には前方に突出する突片を設け、一方、前扉に開設する窓の背面周縁部には溝形の嵌合部を形成して該前扉の閉塞時に前記嵌合部に前記突片を嵌入して密着状態に結合させることを特徴としたスロットマシン。
【発明の詳細な説明】
【０００１】
【発明の属する技術分野】
本発明は、スロットマシンに関するもので、更に詳しくはスロットマシンの本体枠と、この本体枠内部に装備される複数のドラムを備えてなるドラムユニットとの取付けに関するものである。
【０００２】
【従来の技術】
スロットマシンは主要構造物として箱形をなす本体枠と、３個の回転ドラムを連装してなるドラムユニットと、メダルを貯留し払い出すホッパー装置と、前記本体枠の前面を塞ぎドラムユニットとホッパー装置を被う開閉自由に取付けられる前扉とを備えている。
【０００３】
前記本体枠にはその上部空間部にドラムユニットを、下部空間部にホッパー装置をそれぞれ収容するようにして前扉の上部位置に開設する窓を通して前記回転ドラムの周面が覗けるようにしてあり、ゲームの「当り」によってホッパー装置からメダルが放出されたとき、これを前扉の前面下部に備えるメダル受皿に受けるようにしてある。
【０００４】
この様にしてなるスロットマシンにおいて従来遊技場における模様替えの場合、一般にはスロットマシンそのものを一台毎そっくり入れ替えることにより、模様替えをしていた。
しかし、スロットマシンの完全入れ替えによる模様替えは、構造物の中でも引き続き使用が可能な部品、装置についても廃棄するようなことになり極めて不経済であると共に、廃棄部分を増大させることにもなり環境の悪化にも繋がることから、近時スロットマシンの構造部分の一部を外し交換することで全体の外観印象を変更し、或は遊技機能の変更を行い、スロットマシンの一新を図ることが提案され、実用化されるに至っている。
【０００５】
例えばその一つの例として、外枠２（本体枠）と前枠８（前扉）の中間に中枠７を備え、この中枠にリールユニット３６（ドラムユニット）を取り付けて構成し、外枠２に対して上記中枠７を着脱自由にすることによってリールユニット３６を交換する例がある（例えば、特許文献１を参照）。
【０００６】
また他の例として、木製の枠体５に開閉自由に蝶着する前面扉体６の開口部２６に図柄回動ユニット１２（ドラムユニット）を備える装着ユニット２５を組付けることによって、この装着ユニットを外し交換できるようにした例がある（例えば、特許文献２を参照）。
【０００７】
またその他に、本体箱２０（本体枠）の前面にヒンジ装置３０を介して蝶着する前扉４０にリール装置１１０（ドラムユニット）を直接に取付け、必要ある場合、前記ヒンジ装置を分解することで前扉４０と共にリール装置１１０を本体箱２０から外し交換できるようにした例がある（例えば、特許文献３を参照）。
【０００８】
【特許文献１】
特許第２５６２３３０号公報　第２頁左欄第１０行目〜第２０行目。図面の図１、図６。
【特許文献２】
特許第３１２６８１２号公報　第２頁左欄第１９行目〜第２４行目、同頁右欄第１１行目〜第２８行目及び図面の図１、図２。
【特許文献３】
特開平１０ー５２５２５号公報　第２頁右欄第３１行目〜第３５行目、第６頁右欄第２２行目〜第２８行目及び図面の図１、図４。
【０００９】
しかし、前記第１の例（特許文献１の例）の中枠７にはリールユニット３６の外に多数の諸設備を同居させるものとなっていて必要部分のみの交換ができないこと、これがためリールユニット、即ちドラムユニットを手際よく交換することができない問題がある。
【００１０】
また、第２の例（特許文献２の例）は装着ユニット２５を介して図柄回動ユニット１２の重量を全て前面扉体６に負担させる構造とすることから構造的に無理があり、前面扉体に歪みを生ずる問題、ドラムと扉体が直結することによってドラムの回転運動が扉体に伝わり、また逆に扉体を叩く等したときのショックがドラムに伝わる等の問題がある。
またこれと同一のことは前記第３の例（特許文献３の例）の場合についても言える。
【００１１】
【発明が解決しようとする課題】
本発明は、上述した実情に鑑みその改善を目的として開発されたもので、スロットマシンにおいて遊技を構成する中心の装置である回転ドラムを手際よく本体枠に組付け、また取り外せるようにして例えば模様替えを行う場合には簡単に脱着交換できるようにしたスロットマシンを提供しようとするものである。
【００１２】
そして本発明は、上記脱着交換の容易性に加えて、本体枠に装着した状態において安定性があり、例えば外部からの衝撃を受けた場合にも直接その衝撃を受けることのないようにしたスロットマシンを提供しようとするものである。
【００１３】
また更に、本発明は回転ドラムの交換時のみならず、保守点検の際にも着脱の機能を発揮できるようにして作業性の向上を図ると共に、本体枠に対する取付手段を簡略化して空間の有効利用を容易にしたスロットマシンを提供することにある。
【００１４】
そして更に本発明は前記回転ドラムの交換に当って、この回転ドラムの遊技状態を表示する表示パネルを回転ドラムのドラムユニットと一体化してその交換を同時に行えるようにしてスロットマシンの外観を構成する主要部を一つの交換作業において変更し一新できるようにしたスロットマシンを提供することにある。
【００１５】
【課題を解決するための手段】
本発明は、上述したような目的を達成するため、本体枠と回転ドラムを連装するドラムユニットとの取付関係を改善したものであり、特に本発明はレール手段、つまりレール材を活用して本体枠とドラムユニットとを関係付け、使用時におけるドラムユニットの支持固定と、組付時或は取り出し時の移動誘導をこのレール材によって行い、作業の容易化、迅速化を図ると共に安定化を図るようにしたことにある。
【００１６】
更に本発明を具体的に説明すると、本体枠と、本体枠の上部空間部に収容される回転ドラムを連装してなるドラムユニットと、本体枠の下部空間部に収容されるホッパー装置と、該本体枠の一側縁にヒンジ装置を介して開閉自由に蝶着され本体枠の前面開口部を閉ざす前扉を有してなるスロットマシンにおいて、前記本体枠には左右の側壁板の内面の高さの途中に水平状にレール材を付設して前記ドラムユニットに備える滑合部材を滑合し、該ドラムユニットを前後出入自由に支持する一方、該ドラムユニットには前面に前記連装する回転ドラムの前面を被う如く透視窓を開設してなる表示パネルを立設したことを特徴とするスロットマシンを提供することにある。
【００１７】
また本発明は、前記表示パネルはパネル主体と、その背面に表示ランプを収容するランプケースを一体に有してなることを特徴としたスロットマシンを提供することにあり、更にまた、本発明は前記表示パネルはドラムユニットに着脱自由に取付け、交換自由であることを特徴としたスロットマシンを提供することにある。
【００１８】
また本発明は、前記ドラムユニットには取付用フレームを設け、該取付用フレームを介して表示バネルを取付けることを特徴としたスロットマシンを提供することにあり、更には前記ドラムユニットの前縁部に係止用の受部を設け、また取付用フレームの前端部には弾性係止片を備えて表示パネルの下縁部を前記受部に受け止め、また表示パネルの上縁部を前記弾性係止片に掛け止めて起立した状態に取付けることを特徴としたスロットマシンを提供することにある。
【００１９】
また本発明は、前記表示パネルの前面周縁部には前方に突出する突片を設け、他方、前扉に開設する窓の背面周縁部には溝形の嵌合部を形成して該前扉の閉塞時に前記嵌合部に前記突片を嵌入して密着状態に結合させることを特徴としたスロットマシンを提供することにある。
【００２０】
【発明の実施の形態】
次に、本発明の特徴とするところを、図面に示す実施例について詳述し、その他の特徴につき併せて説明することにする。
【００２１】
【実施例１】
図１乃至図７は本発明に係るスロットマシンの第１の実施例を示すものである。図１は斜視図であり、図２は前扉を開放した状態の斜視図、図３は本体枠からドラムユニットを取り出した状態の斜視図であり、図４はドラムユニットの収まり状態を説明する概略の拡大縦断右側面図、図５は本体枠、ドラムユニット、前扉を分解した状態の拡大縦断右側面図である。
【００２２】
本体枠１は前面を開放した縦長の箱形に形成してあり、その開口部２の左側縁部にヒンジ装置３を介して前扉４を蝶着し、内部にドラムユニット５とホッパー装置６を収める。
【００２３】
前扉４は上半部の中央部分に大型の窓７を開口させ、その上部の前面部に上部ランプケース８を設けて背面側からランプ基板９を臨ませ取付けている。そして、前面の中央部には略全幅に亘るように操作台１０を突出する如く設け、この操作台の上面左側にメダル投入個数を設定する３個のボタン１１を、また右側にメダル投入口１２を設けている。
【００２４】
上記操作台１０の前面にはスタートレバー１３を配置し、中央部には後述する回転ドラムを停止させるためのストップボタン１４ａ，１４ｂ，１４ｃを設けて右側にはクレジットモード設定ボタン１５、詰りメダルの解除ボタン１６を設けている。
【００２５】
１７は、前記操作台１０の下方前面部に着脱自由に添設した固定表示板で、この表示板１７の下方に放出されるメダルを受ける受皿１８を突き出し状に設け、受皿１８の上方にホッパー装置６から放出されるメダルをこの受皿に排出する排出口１９を設けている。
【００２６】
一方、前扉４の背面側には前記メダル投入口１２から投入されたメダルを選別するセレクター２０が斜めに配置してあり、前扉４が閉塞されたときホッパー装置６の貯留タンク部６ａに臨んで投入されたメダルがこのセレクター２０を通してホッパー装置に送られるようにしてある。
【００２７】
上記セレクター２０の下方に前記排出口１９の後部が突出し、ホッパー装置の放出口２１と連通するようにしてあり、隅部には効果音を発するスピーカー２２が設けてある。そして、前扉４の自由端縁には後向きにロック装置の係止片２３が突き出し、本体枠の左側壁内面部に相対応して設ける係止部２４に掛け止め施錠できるようにしてある。尚、前扉４の前面側にはロック装置を解錠操作するための鍵を差し入れるための鍵穴２３ａが設けてある。
【００２８】
一方、ドラムユニット５は基板２５から門形の支持フレーム２６を起立させ、このフレームの中を略三分割する如く図示しない２つの支持板を立設して３個の回転ドラム２７ａ，２７ｂ，２７ｃを収めるドラム収容室を隣り合せに形成している。そして、個々の収容室に臨む上記支持板若しくは支持フレームの起立板部にそれぞれの回転ドラムを個別に駆動するモータを固定し、その回転軸に各回転ドラムを軸装してこれらが個別に回転し、停止できるようにしてある。
【００２９】
この実施例におけるドラムユニット５は３個の回転ドラムを取り囲むように基板２５から取付用フレーム２８を立ち上げ、左右後方の支柱の上部間に遊技制御基板２９を取り付ける一方、フレーム上部の前端と、基板２５の前端との間に渡され、回転ドラムの前方に立ち上がるように表示パネル３０が装着される。
【００３０】
表示パネル３０はパネル主体３０Ａとランプケース３０Ｂから形成してある。
パネル主体３０Ａは透明なガラス板或はアクリル板などのプラスチック板から形成して中央部に回転ドラム２７ａ，２７ｂ，２７ｃの前面部を覗かせる透視窓３１を設けてあり、この透視窓３１を除く周縁部分に着色を施して半透明若しくは不透明部分を形成し、これに各種の表示部を設けるようにしてある。
【００３１】
即ち、表示パネル主体３０Ａの上部には図柄模様３２を表し、この模様の下に左からクレジットメダル数を表示する表示部３３、大当りラウンド表示部３４、メダル払出数表示部３５を設け、窓３１の左方には縦列に５個の遊技状態報知部３６を設けている。そして、窓の左右両側には左右対称状に５個のライン表示部３７・・・と、３８・・・を設け、更に窓３１の下方には回転ドラムに各対応するように３個の回転ドラムの回転を表示する表示部３９が設けている。
尚、透視窓３１には上記ライン表示部３７・・・、３８・・・間を結ぶように表示ラインが描かれる。
【００３２】
上記それぞれの表示部は着色を変えたり、或は濃淡の変化を付けて表示部毎の違いを一見して識別できるようにしてあり、且つそれぞれはランプケース３０Ｂの点灯照明によって表示が明確になるようにしてある。
【００３３】
ランプケース３０Ｂはプラスチックを材料に形成してあり、図６に示するようにパネル主体３０Ａに合せた矩形の箱形に形成してその中央部分には透視窓３１に合せた矩形の空部４０を形成し、この空部を囲むように前記パネル主体３０Ａに各形成するそれぞれの表示部に対応させてランプ収容部３２ａ〜３９ａを設けている。
【００３４】
ランプケース３０Ｂの背面から前記ランプ収容部３２ａ〜３９ａに向けてそれぞれランプ４１を備えた基板４２，４３，４４，４５を添わせ、更に可動するランプ４６を備えた可動ランプ表示装置４７、及び液晶表示装置４８を臨ませて一体に組付け表示パネル３０を構成している。
【００３５】
上記可動ランプ表示装置４７は機械的にランプ４６を作動させて表現に動きを加えたもので、ここでは遊技の内容として「リーチ」を表示するものとして組み込んでいる。この表示装置４７は箱形のケースに収めて前記ランプケース３０Ｂに設けるランプ収容部３２ａに背後から嵌め付けるようにしてある。
【００３６】
また液晶表示装置４８は遊技の進行状況を動画として画像表現し、遊技者に報知するもので、前記ランプケース３０Ｂの収容部４９に背後から嵌め入れ組付ける。そして、前面の画面４８ａを前記パネル主体３０ａに透明の状態に残す小窓５０に臨ませ、パネルの前面側から画面４８ａが覗けるようにしてある。
【００３７】
図７は上記のパネル主体３０Ａ，ランプケース３０Ｂ，各種のランプ基板４２〜４５，可動ランプ表示装置４７，液晶表示装置４８を組立て、表示パネル３０を完成させた姿を示す背面側から見た斜視図である。
【００３８】
この表示パネル３０は全体として浅い矩形の箱形を呈するものとなるが、パネル主体３０Ａはランプケース３０Ｂの前面側周縁に突設するリブ状の突片５１の内周に嵌り付き組付くことになる。このとき上記パネル主体３０Ａの外形形状を突片５１の内周の形状に一致させれば、嵌め合せによって両者を一体に結合させることができる。
尚、上記突片５１はパネル主体３０Ａの板厚より高く形成して前方に突出させておき、この突片の先端を後述するように前扉４を閉じたとき窓７の背面側の縁に沿って形成する嵌合部７ａに対して嵌め込めるようにしてある。
【００３９】
この様に構成してなる表示パネルは上記組立を完成した状態で前記ドラムユニット５の前面に添わせ、支持フレーム２８の前端と基板２５の前縁部にビス等を介して止着し、パネル主体３０Ａの透視窓３１を通して背後から臨む３個の回転ドラム２７ａ，２７ｂ，２７ｃを覗くことができるように組付けられる。
【００４０】
一方、前記ドラムユニット５は基板２５の左右の縁部に側方に突き出してそれぞれ前後に２個宛の滑合部材、ここではローラー５２，５２を備え、このローラーを本体枠１の左右の側壁５３，５３の内面に相対向させて各水平に付設するレール材５４，５４に滑合させ、支持される。
【００４１】
滑合部材であるローラー５２は、図８に示したようにこの実施例では基板２５の両縁部から折り曲げ垂設する受部５５，５５に支軸５６を軸着して回転自由に取付けてあり、一方レール材５４は金属帯板を断面Ｌ字形に屈曲成形してその一片を取付片５４ａとし、これをビス５７によって前記側壁５３に固着し、他の支持片５４ｂとなる一片を水平に保持してこれに前記ローラー５２を受止めるようにしてある。
【００４２】
図面において明らかな通り、ドラムユニット５の基板２５は両側壁５３，５３に各付設するレール材５４，５４に左右のローラー５２，５２を架け渡すことができる幅に形成される。そして、更にここでは前記レール材の支持片５４ｂを広幅に形成して余裕を以ってローラー５２，５２を受けられるようにしてあり、両ローラーを滑合したときローラー５２と支持片５４ｂの内側の縁部との間に間隔５８が確保できるようにしてある。
この間隔５８はドラムユニットの基板２５の幅員に対して本体枠１の両側壁５３，５３間に製造上起こる間隔の誤差を吸収するためのものである。
【００４３】
両レール材５４，５４に左右のローラー５２，５２を滑合させ支持させた後、一方のローラー５２と側壁５３との間に上記間隔５８を埋める一定幅員のスペーサー５９を介挿し、ピン６０でこれを支持片５４ｂに固定してドラムユニット５を定位置に固定する。
【００４４】
図中、６１は前記レール材の支持片５４ｂの端縁から立ち上げた縁片である。この縁片６１は滑合部材たるローラー５２の落下を防止するのに合せて、ここでは前記スペーサー５９の固定において、このスペーサーと共同してローラー５２を狭持し、任意の移動を拘束し、一定位置に固定するため作用する。
そして、この定位置での固定は後述するように前記前扉４を閉塞したとき表示パネル３０の突片５１と窓７の嵌合部７ａとの嵌め合せを円滑、且つ正確に行う上で有効に機能することになる。
【００４５】
尚、レール材５４は側壁５３の内側面に沿って開口部２から背面壁６２に至る全幅に亘って付設し、ドラムユニットの基板２５の両側部に前後２個宛設けられる２つのローラー５２，５２を略前端と後端の２ヶ所で受け止め、これにより安定した状態で支持することができるようにしてある。
【００４６】
上記構成に係る本発明スロットマシンは本体枠１と前扉４、ドラムユニット５、そしてホッパー装置６を個別に形成し、その後相互に組合せて完成させることになる。本体枠については予めレール材５４を側壁５３の内側面に前述した如く止着し、また一方の側壁５３には外部中継端子基板６３を取付け、他方の側壁５３には電源基板６４を取付け、底板６５上にはホッパー装置６を載置してこれを収容することになる。
【００４７】
ドラムユニット５は、本体枠１に対する諸部材を前述の如く装備したのち開口部２を通して持ち込むことになり、このとき左右のローラー５２をそれぞれのレール材５４に滑合させ、その後このレール材を案内にして押し込み、収容することになる。そして、収まり位置に達したとき、前述したスペーサー５９をレール材に添えてビス止めし、前後のローラーの移動を拘束し、これによって定位置にセットする。
勿論、レール材に対するドラムユニット５の固定は相互の間にロック装置を配置して掛け止め固定しても、また簡単には支持レール材の定位置に小突起部を設けてドラムユニットを最終位置に押し込んだときこれに後方のローラー５２を乗り上げ係止させてもよく、その方法は１つに限定されない。
【００４８】
この取付け作業に先立って遊技制御基板２９と、ここではドラムユニット５のフレーム２６上面に備えるドラム装置中継基板６６、及びランプケース３１に臨むそれぞれのランプ基板４２，４３，４４，４５とを接続しておき、ドラムユニットの持込み作業の終了後上記遊技制御基板２９と電源基板６４との接続を行うことになる。
【００４９】
前扉４は上記の作業ののち本体枠１と分割して取り付けておいたヒンジ装置３のヒンジ片相互の組合せによって連結し、本体枠１の前面に開閉自由に蝶着することになる。尚、図示しないが、上記ヒンジ装置３は回転支軸を介してのヒンジ片の着脱組合せによって分割し、又組合せられる構造のものにして本体枠１に対する前扉４の着脱ができるようにしてある。
【００５０】
前扉４を閉じた状態の本発明スロットマシンはドラムユニット５の前面部に取付けた表示パネル３０を図４に示した如く前扉４の窓７に臨ませ、併せてランプケース３０Ｂの周縁部に形成した突片５１を窓７の嵌合部７ａに嵌め入れ一体に結合し、開放した窓７をこの表示パネル３０によって密閉することになる。この密閉状態は防犯機能を合せもつものとなる。
【００５１】
ドラムユニット５はスペーサー５９をローラー５２に添えることで前述したように移動を拘束することになるが、併せてこの前扉４の閉塞によって本体枠内部に閉じ込められ、更に安定した固定がなされることになる。
【００５２】
【実施例２】
次に、図９乃至図１３はドラムユニット５に対する表示パネル３０の取付を示す第２の実施例である。
ドラムユニット５に対する表示パネル３０の取付けは前記実施例において説明したように支持フレーム２８を利用して取付けることができるが、この実施例では更にドラムユニット５に表示パネル３０を装着するための止着手段を予め準備して容易に、また交換自由に装着できるようにした例を示したものである。
尚、図面において前記第１の実施例と同一の部所については同一の符号を使用し、その説明を省略する。
【００５３】
この実施例では図示するようにドラムユニット５には基板２５の前縁部に左右対称をなすように浅いＵ字形をなす受部６７を突き出す如く設け、その一方この受部６７に対し向い合せとなるように取付用フレーム２８の上部左右の前端部から下向きの爪６８を有する係止片６９を突設して係止部を構成しており、この係止部を介して表示パネル３０を取付けるようにしている。
【００５４】
表示パネル３０の取付は、先ずその下縁部を前記受部６７に乗せて係合させ、次に上縁部を支持フレーム２８に向けて押付ける。この押付けによって弾性を持たせた係止片６９を一旦押上げて爪６８に掛止めることによって行うことになる。
表示パネル３０は爪６８によって掛止められると共に、係止片６９の弾性を利用して受部６７との間で挟み付けられ固定されることになる。
【００５５】
一方、表示パネル３０には上縁部に凹部７０を設け、この凹部に係止片６９を掛け止めるようにしてある。この凹部７０は位置決め用のものであり、この凹部７０に係止片６９を嵌め入れることでドラムユニット５に対する横方向の位置が確定することになる。この位置決めによって表示パネル３０は常に定位置に取付くことになり、透視窓３１に対して３個の回転ドラムが正しく対面し、またこの窓３１に表示するラインが回転ドラムの表面に表される図柄の位置と一致することになる。
【００５６】
以上説明の如く本発明スロットマシンは構成されるもので、本体枠の製造に当ってその内部に左右のレール材５４，５４を付設しておき、組立の際にはホッパー装置６を取付け収容したところで、上記レール材にドラムユニット５のローラー５２を滑合させ、支持させた状態で次に押込み、その取付け収容を行う。
そして、前記実施例では次にスペーサー５９を介挿して位置固定を行い、その後、各制御基板相互の配線の接続作業等を行ったのち、前扉４を閉じて組立を完了することになる。
【００５７】
尚、前扉４はヒンジ装置３の両ヒンジ片を回転軸を利用して２つに分割できる構造のものを使用して組付けるようにすること前述した通りであり、各部品を組付け完成させたのち、このヒンジ装置３の連結結合を使って本体枠１に組付けることになる。
そして、この前扉の閉塞に際しては、窓７の背面側周縁部に形成する嵌合部７ａに前記表示パネル３０の周縁部に突設する突片５１を突き入れて嵌合させ、この両者間の隙間を塞ぎ、外部からの不正行為を遮断することになる。
【００５８】
この様にして組立られる本発明スロットマシンは前扉４をロック装置を解錠して開放すると、ドラムユニット５を露出させることができるため、そのまゝレール材５４をガイドにして前方に引き出すことができ、本体枠１から取り出すことができる。そして、このドラムユニット５を再び戻すことができ、また同一構造をなす別のドラムユニット５を入れ替えて戻すこともできることになる。
【００５９】
本発明においてはドラムユニット５には各種表示部を有する表示パネル３０を組付け一体としてあることから、ドラムユニット５を交換すると表示パネル３０も交換することになり、従ってスロットマシンにおいて顔の部分となる主要構成部分がこれによってそっくり入れ替えることになる。
【００６０】
更に、本発明においてはドラムユニット５に対してこれに組付けた表示パネル３０を外すことができることから、例えば回転ドラムに表示する図柄を取り替えるのに併せて表示パネルを差し替えると、全く新しい外観のドラムユニットとすることができ、ドラムユニットの本体を変更すること同様にスロットマシンの外観を替え、或は遊技仕様の変更が行われることになる。
【００６１】
【発明の効果】
以上説明の通り、本発明によれば本体枠に対し、ドラムユニットをレール材を介して簡単に出し入れ自由に組付ける構造にしたことからドラムユニットの入れ替え交換によって簡単，且つ迅速にスロットマシンの模様替えを行うことができる。そして、このときドラムユニットのみの交換によってその他の装置の一切をそのまま残して再利用することから極めて経済性に優れる利点がある。
【００６２】
また本発明はドラムユニットの交換の容易性に加えて、このドラムユニットの前面に備える表示パネルを取り外し可能にしたことから、この表示パネルの交換によってスロットマシンの外観の印象を変えることができ、従って、更に容易且つ安価にスロットマシンの模様替えが行える利点がある。
【００６３】
また本発明は上記ドラムユニットからの表示パネルの取り外しが可能なことから回転ドラムに対する保守や点検作業もし易く、また回転ドラムの図柄をテープ状のシートを貼り付け構成するものにおいてはその交換作業を容易に行うことができる。
【００６４】
また本発明は、本体枠に対するドラムユニットの支持をレール材を介して行うことから、ドラムユニットを外したとき本体枠内部にはレール材のみが残り、支持棚等の障害物が無くなるため、配線処理の作業や、保守点検作業が容易になる利点がある。
【図面の簡単な説明】
【図１】本発明に係るスロットマシンの斜視図。
【図２】前扉を開放した状態の斜視図。
【図３】前扉を開放してドラムユニットを引き出した状態の分解斜視図。
【図４】拡大縦断右側面図。
【図５】分解した状態の拡大縦断面図。
【図６】表示パネルの分解斜視図。
【図７】表示パネルの背面から見た斜視図。
【図８】本体枠に装備されるレール材とこれに滑合するローラーとの関係を示す一部省略した拡大正面図。
【図９】他の実施例におけるドラムユニットの斜視図。
【図１０】ドラムユニットから表示パネルを外した状態の斜視図。
【図１１】ドラムユニットの縦断右側面図。
【図１２】表示パネルの分解斜視図。
【図１３】表示パネルの背面から見た斜視図である。
【符号の説明】
１　　　　　　　　　本体枠
２　　　　　　　　　本体枠の開口部
３　　　　　　　　　ヒンジ装置
４　　　　　　　　　前扉
５　　　　　　　　　ドラムユニット
６　　　　　　　　　ホッパー装置
７　　　　　　　　　前扉に形成した窓
７ａ　　　　　　　　嵌合部
２５　　　　　　　　ドラムユニットの基板
２６　　　　　　　　支持フレーム
２７ａ，２７ｂ，２７ｃ　回転ドラム
２８　　　　　　　　取付用フレーム
３０　　　　　　　　表示パネル
３０Ａ　　　　　　　パネル主体
３０Ｂ　　　　　　　ランプケース
３１　　　　　　　　透視窓
３２〜３９　　　　　表示部
３２ａ〜３９ａ　　　ランプ収容部
４２〜４５　　　　　ランプ基板
５１　　　　　　　　突片
５２　　　　　　　　滑合部材たるローラー
５３　　　　　　　　本体枠の側壁
５４　　　　　　　　レール材
５４ａ　　　　　　　レール材の取付片
５４ｂ　　　　　　　レール材の支持片
５９　　　　　　　　スペーサー
６１　　　　　　　　縁片
６７　　　　　　　　受部
６９　　　　　　　　係止片
７０　　　　　　　　凹部
【図１】
2004105313.tif 000003
【図２】
2004105313.tif 000004
【図３】
2004105313.tif 000005
【図４】
2004105313.tif 000006
【図５】
2004105313.tif 000007
【図６】
2004105313.tif 000008
【図７】
2004105313.tif 000009
【図８】
2004105313.tif 000010
【図９】
2004105313.tif 000011
【図１０】
2004105313.tif 000012
【図１１】
2004105313.tif 000013
【図１２】
2004105313.tif 000014
【図１３】
2004105313.tif 000015